(57)【要約】【課題】本発明は、複数宛先に送信する場合でも、送信宛先機器毎に適切なサイズで、かつ１度で送信することができるファクシミリ装置を提供することを目的とする。【解決手段】本発明のファクシミリ装置は、原稿画像を読み取るスキャナ（１５）と、送信する原稿のサイズを検出する原稿サイズ検出部（１６）と、送信する原稿画像のサイズを縮小する縮小処理部（１７）と、コンピュータネットワーク網を介して電子メールタイプで画情報を送信するための電子メール型通信制御部（２４）と、電子メールタイプで送信する場合の送信宛先機器が何であるかを指定する宛先機器指定手段（２０）とを備えている。更に、本発明のファクシミリ装置によれば、電子メール型通信制御部（２４）を用いて送信する場合には、検出した原稿サイズと送信宛先機器とに基づいて送信する原稿画像を等倍か、または縮小処理部（１７）により縮小して送信する。【選択図】　　　　図１
2004015672.tif 000002
【特許請求の範囲】
【請求項１】
原稿画像を読み取るスキャナと、送信する原稿のサイズを検出する原稿サイズ検出部と、送信する原稿画像のサイズを縮小する縮小処理部と、コンピュータネットワーク網を介して電子メールタイプで画情報を送信するための電子メール型通信制御部と、電子メールタイプで送信する場合の送信宛先機器が何であるかを指定する宛先機器指定手段とを備えたファクシミリ装置において、
前記電子メール型通信制御部を用いて送信する場合には、検出した原稿サイズと送信宛先機器とに基づいて送信する原稿画像を等倍か、または前記縮小処理部により縮小して送信することを特徴とするファクシミリ装置。
【請求項２】
原稿画像を読み取るスキャナと、送信する原稿のサイズを検出する原稿サイズ検出部と、送信する原稿画像のサイズを縮小する縮小処理部と、コンピュータネットワーク網を介して電子メールタイプで画情報を送信するための電子メール型通信制御部と、電子メールタイプで送信する場合の送信宛先機器が何であるかを指定する宛先機器指定手段とを備えたファクシミリ装置において、
複数の送信宛先へ前記電子メール型通信制御部を用いて送信する場合には、検出した原稿サイズと送信宛先機器とに基づいて送信する原稿画像を等倍か、または前記縮小部により縮小し、縮小した原稿画像の有無毎に送信することを特徴とするファクシミリ装置。
【請求項３】
前記宛先機器指定手段は、送信宛先機器がＦＡＸ機器であるか、コンピュータ機器等のＦＡＸ以外の機器であるかを指定する請求項１又は２に記載のファクシミリ装置。
【請求項４】
前記縮小処理部は、送信宛先機器がＦＡＸ機器の場合には送信原稿サイズがＡ４サイズになるように縮小し、送信宛先機器がＦＡＸ以外の機器の場合には送信原稿サイズを等倍とする請求項３記載のファクシミリ装置。
【発明の詳細な説明】
【０００１】
【発明の属する技術分野】
本発明はファクシミリ装置に関し、特にコンピュータ通信ネットワーク網を介して電子メールタイプで画情報を送信可能なファクシミリ装置に関する。
【０００２】
【従来の技術】
近年、ローカルエリアネットワークやインターネット等のコンピュータネットワーク網を介して、画情報の送受信を行う機能を備えたファクシミリ装置が実用化されてきている。コンピュータネットワーク網を介したファクシミリ通信を行う方法として、ＩＴＵ−Ｔ　Ｔ．３７で規定されたＳＴＯＲＥ　ＡＮＤ　ＦＯＲＷＡＲＤタイプ（電子メールタイプ）がある。この電子メールタイプは画情報を電子メールの添付ファイルとして送信するもので、ＦＡＸ機器のみならずコンピュータ機器等へも送信できる。ただし、電子メールタイプでＦＡＸ機器へ送信する場合、送信画像のサイズは受信側の制約からＡ４サイズで送信する。一方、コンピュータ機器に送信する場合、送信画像のサイズはＡ４サイズ以上でも問題はない。電子メールタイプで送信する場合の送信画像のサイズを、宛先機器に関係なくファクシミリの送信として設定すると、Ｂ４／Ａ３等のＡ４サイズより大きいサイズの原稿画像を等倍で送信したい場合、相手先が受信できる機器であっても送信できない、という不具合がある。また、複数宛先に送信したい場合は、最も小さい原稿サイズの機器に合わせて送信するか、または宛先機器毎に分けて送信操作を行わなければならない等の不具合がある。
【０００３】
そこで、これらの不具合を解消するために、特開２０００−０８３１２４号公報（以下従来例と称す）には、電子メールの宛先から送信先端末が許容可能な用紙サイズを判定し、判定した用紙サイズに適合したサイズで送信を行う電子メール装置が提案されている。
【０００４】
【発明が解決しようとする課題】
しかしながら、上記従来例によれば、宛先機器の受信可能サイズの違いには対応できないし、異なる場所や異なる機器の複数宛先へ一度に送信することができない。
【０００５】
本発明はこれらの問題点を解決するためのものであり、複数宛先に送信する場合でも、送信宛先機器毎に適切なサイズで、かつ１度で送信することができるファクシミリ装置を提供することを目的とする。
【０００６】
【課題を解決するための手段】
前記問題点を解決するために、本発明のファクシミリ装置は、原稿画像を読み取るスキャナと、送信する原稿のサイズを検出する原稿サイズ検出部と、送信する原稿画像のサイズを縮小する縮小処理部と、コンピュータネットワーク網を介して電子メールタイプで画情報を送信するための電子メール型通信制御部と、電子メールタイプで送信する場合の送信宛先機器が何であるかを指定する宛先機器指定手段とを備えている。更に、本発明のファクシミリ装置によれば、電子メール型通信制御部を用いて送信する場合には、検出した原稿サイズと送信宛先機器とに基づいて送信する原稿画像を等倍か、または縮小処理部により縮小して送信することに特徴がある。よって、複数宛先に送信する場合でも、送信宛先機器毎に適切なサイズで送信することができ、また送信操作も１回でできる。
【０００７】
また、別の発明としてのファクシミリ装置によれば、複数の送信宛先へ電子メール型通信制御部を用いて送信する場合には、検出した原稿サイズと送信宛先機器とに基づいて送信する原稿画像を等倍か、または縮小部により縮小し、縮小した原稿画像の有無毎に送信する。よって、複数宛先に送信する場合でも、送信宛先機器毎に適切なサイズで送信することができる。
【０００８】
更に、宛先機器指定手段は、送信宛先機器がＦＡＸ機器であるか、コンピュータ機器等のＦＡＸ以外の機器であるかを指定する。そして、縮小処理部は、送信宛先機器がＦＡＸ機器の場合には送信原稿サイズがＡ４サイズになるように縮小し、送信宛先機器がＦＡＸ以外の機器の場合には送信原稿サイズを等倍とする。よって、宛先機器指定がＦＡＸ機器かそれ以外であるかを指定し、送信宛先機器がＦＡＸ以外の場合には等倍で送信できるので、送信宛先機器によって送信したい画像を適切なサイズで送信することができる。
【０００９】
【発明の実施の形態】
本発明のファクシミリ装置は、電子メール型通信制御部を用いて送信する場合、検出した原稿サイズと送信宛先機器とに基づいて送信する原稿画像を等倍か、または縮小処理部により縮小して送信する。
【００１０】
【実施例】
図１は本発明の一実施例に係るファクシミリ装置の構成を示すブロック図である。同図において、本実施例のファクシミリ装置は、システム制御１１、システムメモリ１２、パラメータメモリ１３、画像メモリ１４、スキャナ１５、原稿サイズ検知部１６、縮小処理部１７を含む２値化画像処理部１８、プロッタ１９、宛先機器指定手段２０を含む操作表示部２１、符号化復号化部２２、ファクシミリ通信制御部２３、電子メール型通信制御部２４を含むネットワーク通信制御部２５を有している。また、これらの各要素は内部バス２６に接続されており、各要素間でのデータのやりとりは主としてこの内部バス２６を介して行われる。
【００１１】
また、システム制御部１１はこのファクシミリ装置の各部の制御処理を行う。システムメモリ１２はシステム制御部１１が実行する制御処理プログラム及び処理プログラムを実行するときに必要な各種データなどを記憶するとともにシステム制御部１１のワークエリアを構成するものである。パラメータメモリ１３はこのファクシミリ装置に固有な各種情報を記憶するものである。画像メモリ１４は画情報の符号化圧縮時及び復号化伸長時に使用するとともに、符号化圧縮された状態の画情報を多数記憶する。スキャナ１５はＡ４サイズよりも大きな原稿を読み取ることが可能で、原稿画像を光学的に読み取り、画情報を多値の電気信号に変換して出力する。原稿サイズ検知部１６は読み取る原稿のサイズを検出する。２値化画像処理部１８はスキャナ１５からの画信号を補正等の処理をした後に白黒２値の画信号に変換して出力する。縮小処理部１７は読み取った原稿がＡ４サイズより大きい場合、画素及びラインの間引き処理または関数処理で、Ａ４サイズの送信画像を作成する。プロッタ１９は所定のサイズ・解像度で画像を記録出力するものである。操作表示部２１はこのファクシミリ装置を操作するためのもので、各種の操作キー及び各種の表示器からなる。この操作表示部２１は、電子メールタイプで送信する場合に宛先機器を指定する宛先機器指定手段２０を持つ。符号化復号化部２２は画信号を符号化圧縮するとともに、符号化圧縮されている画情報を元の画信号に復号化伸長するものである。符号化復号化方式としては例えば白黒用のＭＨ（Ｍｏｄｉｆｉｅｄ　Ｈｕｆｆｍａｎ），ＭＲ（Ｍｏｄｉｆｉｅｄ　Ｒｅａｄ），ＭＭＲ（Ｍｏｄｉｆｉｅｄ　Ｍｏｄｉｆｉｅｄ　Ｒｅａｄ），ＪＢＩＧ（Ｊｏｉｎｔ　Ｂｉｌｅｖｅｌ　Ｉｍａｇｅ　ｅｘｐｅｒｔｓ　Ｇｒｏｕｐ）、カラー用のＪＰＥＧ（Ｊｏｉｎｔ　Ｐｈｏｔｏｇｒａｐｈｉｃ　Ｅｘｐｅｒｔｓ　Ｇｒｏｕｐ），ＪＢＩＧ，ＭＲＣ（Ｍｉｘｅｄ　Ｒａｓｔｅｒ　Ｃｏｎｔｅｎｔ）等がある。ファクシミリ通信制御部２３は電話回線網２７を介して相手機との間で所定のファクシミリ伝送手順に従って画情報をやりとりするものである。ネットワーク通信制御部２５はコンピュータネットワーク網２８を介して相手機との間で電子メール型通信制御部２４を使用して種々のデータをやりとりするものである。
【００１２】
次に、本実施例のファクシミリ装置の動作について図１及び動作フローを示す図２に従って説明する。
先ず、オペレータは電子メールタイプで送信する場合、宛先毎に図１の操作表示部２１の宛先機器指定手段２０から宛先機器がＦＡＸ機器か、コンピュータ機器等のＦＡＸ以外かを指定する（ステップＳ１０１，Ｓ１０２）。宛先機器がＦＡＸ機器のみの場合には送信原稿がＡ４サイズ以下のものは等倍の、またＡ４サイズより大きいものはＡ４サイズに縮小して送信画像を作成する（ステップＳ１０３；ＹＥＳ、ステップＳ１０４）。宛先機器がコンピュータ機器等のＦＡＸ以外の機器のみ場合には送信原稿と等倍の送信画像を作成する（ステップＳ１０３；ＮＯ、ステップＳ１０５；ＹＥＳ、ステップＳ１０６）。宛先機器がＦＡＸ機器とＦＡＸ以外の機器との両方がある場合には、送信原稿がＡ４サイズ以下のものは等倍の、Ａ４サイズより大きいサイズのものは等倍とＡ４サイズに縮小した送信画像を作成する（ステップＳ１０３；ＮＯ、ステップＳ１０５；ＮＯ、ステップＳ１０７）。このように送信画像が作成できたら送信画像のサイズが同一の宛先毎に該当するサイズの送信画像を電子メール型通信制御部２４を使用してコンピュータネットワーク網２８を介して送信する（ステップＳ１０８、ステップＳ１０９；ＹＥＳ）。
【００１３】
ここでは例として、ＦＡＸ機器である宛先ａａａと、ＦＡＸ以外の機器である宛先ｂｂｂへ２ページの原稿を送信する場合、原稿が２枚ともＡ４サイズの場合２枚とも等倍の送信画像を作成し、宛先ａａａと宛先ｂｂｂへ同時に送信する。ところが、原稿１枚目がＡ４サイズで、２枚目がＡ３サイズの場合、１枚目は等倍で２枚目はＡ４サイズに縮小した第１の送信画像と、２枚とも等倍の第２の送信画像とを作成し、第１の送信画像を宛先ａａａに送信し、送信画像２を宛先ｂｂｂへ送信する。
【００１４】
なお、本発明は上記実施例に限定されるものではなく、特許請求の範囲内の記載であれば多種の変形や置換可能であることは言うまでもない。
【００１５】
【発明の効果】
以上説明したように、本発明のファクシミリ装置は、原稿画像を読み取るスキャナと、送信する原稿のサイズを検出する原稿サイズ検出部と、送信する原稿画像のサイズを縮小する縮小処理部と、コンピュータネットワーク網を介して電子メールタイプで画情報を送信するための電子メール型通信制御部と、電子メールタイプで送信する場合の送信宛先機器が何であるかを指定する宛先機器指定手段とを備えている。更に、本発明のファクシミリ装置によれば、電子メール型通信制御部を用いて送信する場合には、検出した原稿サイズと送信宛先機器とに基づいて送信する原稿画像を等倍か、または縮小処理部により縮小して送信することに特徴がある。よって、複数宛先に送信する場合でも、送信宛先機器毎に適切なサイズで送信することができ、また送信操作も１回でできる。
【００１６】
また、別の発明としてのファクシミリ装置によれば、複数の送信宛先へ電子メール型通信制御部を用いて送信する場合には、検出した原稿サイズと送信宛先機器とに基づいて送信する原稿画像を等倍か、または縮小部により縮小し、縮小した原稿画像の有無毎に送信する。よって、複数宛先に送信する場合でも、送信宛先機器毎に適切なサイズで送信することができる。
【００１７】
更に、宛先機器指定手段は、送信宛先機器がＦＡＸ機器であるか、コンピュータ機器等のＦＡＸ以外の機器であるかを指定する。そして、縮小処理部は、送信宛先機器がＦＡＸ機器の場合には送信原稿サイズがＡ４サイズになるように縮小し、送信宛先機器がＦＡＸ以外の機器の場合には送信原稿サイズを等倍とする。よって、宛先機器指定がＦＡＸ機器かそれ以外であるかを指定し、送信宛先機器がＦＡＸ以外の場合には等倍で送信できるので、送信宛先機器によって送信したい画像を適切なサイズで送信することができる。
【図面の簡単な説明】
【図１】本発明の一実施例に係るファクシミリ装置の構成を示すブロック図である。
【図２】本実施例のファクシミリ装置の電子メール型通信制御部を用いて送信動作を示すフローチャートである。
【符号の説明】
１１；システム制御部、１２；システムメモリ、１３；パラメータメモリ、
１４；画像メモリ、１５；スキャナ、１６；原稿サイズ検知部、
１７；縮小処理部、１８；２値化画像処理部、１９；プロッタ、
２０；宛先機器指定手段、２１；操作表示部、２２；符号化復号化部、
２３；ファクシミリ通信制御部、２４；電子メール型通信制御部、
２５；ネットワーク通信制御部、２６；内部バス、２７；電話回線網、
２８；コンピュータネットワーク網。
【図１】
2004015672.tif 000003
【図２】
2004015672.tif 000004